(57)【要約】  推定部（220）は、ユーザから提供された写真データから、当該写真データが表す対象の種類を推定する。取得部（230）は、推定された種類に応じた有効期限を取得する。蓄積部（240）は、提供された写真データを取得された有効期限に対応付けて蓄積する。警告部（260）は、ユーザから他のユーザへ、蓄積された写真データの転送リクエストがあると、その写真データに対応付けられた有効期限に達していれば、転送に先立って、ユーザに警告する。更新部（280）は、警告にもかかわらず、ユーザの指示に基づいて、有効期限に達した写真データが他のユーザに転送されたならば、その写真データに対応付けられた有効期限を延長して更新する。
2017033278.tif 000002
【特許請求の範囲】
【請求項１】
ユーザから提供された写真データから、当該写真データが表す対象の種類を推定する推定部、
前記推定された種類に応じた有効期限を取得する取得部、
前記提供された写真データを前記取得された有効期限に対応付けて蓄積する蓄積部、
前記ユーザから他のユーザへ前記蓄積された写真データの転送リクエストがあると、当該写真データに対応付けられた有効期限に達していれば、当該転送に先立って、前記ユーザに警告する警告部、
を備えることを特徴とする写真管理装置。
【請求項２】
請求項１に記載の写真管理装置であって、
前記警告部による警告にもかかわらず、前記ユーザの指示に基づいて、前記有効期限に達した写真データが前記他のユーザに転送されたならば、当該写真データに対応付けられた有効期限を延長して更新する更新部、を更に備える、
ことを特徴とする写真管理装置。
【請求項３】
請求項１に記載の写真管理装置であって、
前記推定部は、ユーザから提供された写真データから、当該写真データが表す証明書の種類を、文字認識することなく推定する、
ことを特徴とする写真管理装置。
【請求項４】
請求項３に記載の写真管理装置であって、
前記取得部は、前記推定部が推定した証明書の種類が特定の証明書であると、直近の特定月の末日を有効期限として取得する、
ことを特徴とする写真管理装置。
【請求項５】
写真管理装置における管理方法であって、
前記写真管理装置が、ユーザから提供された写真データから、当該写真データが表す対象の種類を推定する推定ステップ、
前記写真管理装置が、前記推定された種類に応じた有効期限を取得する取得ステップ、
前記写真管理装置が、前記提供された写真データを前記取得された有効期限に対応付けて所定の記憶部に蓄積する蓄積ステップ、
前記写真管理装置が、前記ユーザから他のユーザへ前記蓄積された写真データの転送リクエストがあると、当該写真データに対応付けられた有効期限に達していれば、当該転送に先立って、前記ユーザに警告する警告ステップ、
を備えることを特徴とする管理方法。
【請求項６】
コンピュータを、
ユーザから提供された写真データから、当該写真データが表す対象の種類を推定する推定部、
前記推定された種類に応じた有効期限を取得する取得部、
前記提供された写真データを前記取得された有効期限に対応付けて蓄積する蓄積部、
前記ユーザから他のユーザへ前記蓄積された写真データの転送リクエストがあると、当該写真データに対応付けられた有効期限に達していれば、当該転送に先立って、前記ユーザに警告する警告部、
として機能させることを特徴とするプログラムを記録したコンピュータ読み取り可能な記録媒体。
【請求項７】
コンピュータを、
ユーザから提供された写真データから、当該写真データが表す対象の種類を推定する推定部、
前記推定された種類に応じた有効期限を取得する取得部、
前記提供された写真データを前記取得された有効期限に対応付けて蓄積する蓄積部、
前記ユーザから他のユーザへ前記蓄積された写真データの転送リクエストがあると、当該写真データに対応付けられた有効期限に達していれば、当該転送に先立って、前記ユーザに警告する警告部、
として機能させることを特徴とするプログラム。
【発明の詳細な説明】
【技術分野】
【０００１】
本発明は、写真管理装置、管理方法、記録媒体、および、プログラムに関する。
【背景技術】
【０００２】
近年、インターネット上において、商品（例えば、中古品等）の買い取りを仲介する仲介サイトが人気を博している。このような仲介サイトにおいて、例えば、ユーザが、不要となった商品を送付し、必要な情報を登録するだけで、バイヤ等から買い取り価格が提示されるようになっている。そして、買い取り価格に了承した場合、ユーザは、例えば、運転免許証や学生証などの身分証明書を撮影した写真データを送ることで、買い取りが成立し、買い取り価格が振り込まれるようになっている。【０００３】
なお、複数の商品（買い取りを依頼する商品）を送付したユーザは、買い取り価格を提示したバイヤ等に応じて、その都度、身分証明書を撮影した写真データを送る必要があり、煩雑であった。そのため、身分証明書の写真データを仲介サイト側で管理できるようにすることも考えられている。【０００４】
写真データを管理する装置の先行技術として、例えば、特許文献１には、カードの残存有効期間に応じて種々のカード更新手続きを迅速、かつ簡素に行う自動写真撮影システムの発明が開示されている。
【先行技術文献】
【特許文献】
【０００５】
【特許文献１】特開２００３−１７８３７２号公報
【発明の概要】
【発明が解決しようとする課題】
【０００６】
特許文献１の発明では、カードの更新等に使用するために、写真データを使用しているため、特に有効期限等の管理を行う必要がなかった。
これに対して、仲介サイトにおいては、ある程度の長期間に渡って、写真データを管理する必要があるため、写真データが表す証明書（身分証明書）の有効期限も管理する必要がある。なお、写真データを文字認識して、証明書に記載されている有効期限を管理することも考えられる。【０００７】
しかしながら、文字認識を精度良く行うためには、ユーザが撮影する写真データの品質が高くなければならず、解像度が粗かったり、手ぶれが生じている写真データには対応することができないといった問題があった。
このため、写真データが表す証明書の有効期限を簡易に管理する技術が求められていた。【０００８】
本発明は、上記実状に鑑みてなされたもので、写真データの有効期限を簡易に管理することのできる写真管理装置、管理方法、記録媒体、および、プログラムを提供することを目的とする。
【課題を解決するための手段】
【０００９】
本発明の第１の観点に係る写真管理装置は、
ユーザから提供された写真データから、当該写真データが表す対象の種類を推定する推定部、
前記推定された種類に応じた有効期限を取得する取得部、
前記提供された写真データを前記取得された有効期限に対応付けて蓄積する蓄積部、
前記ユーザから他のユーザへ前記蓄積された写真データの転送リクエストがあると、当該写真データに対応付けられた有効期限に達していれば、当該転送に先立って、前記ユーザに警告する警告部、
を備えることを特徴とする。【００１０】
また、上記観点に係る写真管理装置において、
前記警告部による警告にもかかわらず、前記ユーザの指示に基づいて、前記有効期限に達した写真データが前記他のユーザに転送されたならば、当該写真データに対応付けられた有効期限を延長して更新する更新部、を更に備える、
ことを特徴とする。【００１１】
また、上記観点に係る写真管理装置において、
前記推定部は、ユーザから提供された写真データから、当該写真データが表す証明書の種類を、文字認識することなく推定する、
ことを特徴とする。【００１２】
また、上記観点に係る写真管理装置において、
前記取得部は、前記推定部が推定した証明書の種類が特定の証明書であると、直近の特定月の末日を有効期限として取得する、
ことを特徴とする。【００１３】
本発明の第２の観点に係る管理方法は、
写真管理装置における管理方法であって、
前記写真管理装置が、ユーザから提供された写真データから、当該写真データが表す対象の種類を推定する推定ステップ、
前記写真管理装置が、前記推定された種類に応じた有効期限を取得する取得ステップ、
前記写真管理装置が、前記提供された写真データを前記取得された有効期限に対応付けて所定の記憶部に蓄積する蓄積ステップ、
前記写真管理装置が、前記ユーザから他のユーザへ前記蓄積された写真データの転送リクエストがあると、当該写真データに対応付けられた有効期限に達していれば、当該転送に先立って、前記ユーザに警告する警告ステップ、
を備えることを特徴とする。【００１４】
本発明の第３の観点に係るコンピュータ読み取り可能な記録媒体は、
コンピュータを、
ユーザから提供された写真データから、当該写真データが表す対象の種類を推定する推定部、
前記推定された種類に応じた有効期限を取得する取得部、
前記提供された写真データを前記取得された有効期限に対応付けて蓄積する蓄積部、
前記ユーザから他のユーザへ前記蓄積された写真データの転送リクエストがあると、当該写真データに対応付けられた有効期限に達していれば、当該転送に先立って、前記ユーザに警告する警告部、
として機能させることを特徴とするプログラムを記録する。【００１５】
上記記録媒体は、非一時的な（non-transitory）記録媒体であってよく、コンピュータとは独立して配布・販売することができる。ここで、非一時的な記録媒体とは、有形な（tangible）記録媒体をいう。非一時的な記録媒体は、例えば、コンパクトディスク、フレキシブルディスク、ハードディスク、光磁気ディスク、ディジタルビデオディスク、磁気テープ、半導体メモリ等である。また、一時的な（transitory）記録媒体とは、伝送媒体（伝搬信号）それ自体を示す。一時的な記録媒体は、例えば、電気信号、光信号、電磁波等である。なお、一時的な（temporary）記憶領域とは、データやプログラムを一時的に記憶するための領域であり、例えば、ＲＡＭ（Random Access Memory）等の揮発性メモリである。【００１６】
本発明の第４の観点に係るプログラムは、
コンピュータを、
ユーザから提供された写真データから、当該写真データが表す対象の種類を推定する推定部、
前記推定された種類に応じた有効期限を取得する取得部、
前記提供された写真データを前記取得された有効期限に対応付けて蓄積する蓄積部、
前記ユーザから他のユーザへ前記蓄積された写真データの転送リクエストがあると、当該写真データに対応付けられた有効期限に達していれば、当該転送に先立って、前記ユーザに警告する警告部、
として機能させることを特徴とする。【００１７】
上記プログラムは、当該プログラムが実行されるコンピュータとは独立して、コンピュータ通信網を介して配布・販売することができる。
【発明の効果】
【００１８】
本発明によれば、写真データの有効期限を簡易に管理することができる。
【図面の簡単な説明】
【００１９】
【図１】本実施形態に係る管理システムの全体構成の一例を示すブロック図である。
【図２】写真管理装置、及び、ユーザ端末が実現される典型的な情報処理装置の概要構成の一例を示すブロック図である。
【図３】本実施形態に係る写真管理装置の概要構成の一例を示すブロック図である。
【図４Ａ】運転免許証のレイアウトパターンの一例を説明するための模式図である。
【図４Ｂ】学生証のレイアウトパターンの一例を説明するための模式図である。
【図４Ｃ】健康保険被保険者証のレイアウトパターンの一例を説明するための模式図である。
【図５】蓄積部に記憶される管理情報の一例を説明するための模式図である。
【図６】本実施形態に係る写真管理処理を説明するためのフローチャートである。
【発明を実施するための形態】
【００２０】
以下に本発明の実施形態を説明する。本発明の実施形態では、身分証明書（一例として、運転免許証、学生証、及び、健康保険被保険者証等）の写真データを管理する写真管理装置を一例として説明するが、他の書類の写真データを管理する写真管理装置においても適宜適用可能である。
また、以下の実施形態は説明のためのものであり、本願発明の範囲を制限するものではない。したがって、当業者であればこれらの各要素または全要素をこれと均等なものに置換した実施形態を採用することが可能であるが、これらの実施形態も本発明の範囲に含まれる。
【００２１】
（全体構成）
本発明の実施形態に係る管理システム１００は、図１に示すように、写真管理装置２００と各ユーザ端末３００とがインターネット９００を介して接続されて構成される。なお、図中では簡略化しているが、ユーザ端末３００は、利用するユーザに応じて、多数存在しているものとする。
【００２２】
写真管理装置２００は、例えば、サーバコンピュータ等からなり、ユーザ端末３００から提供された証明書（一例として、運転免許証、学生証、及び、健康保険被保険者証等）の写真データを管理する。
例えば、写真管理装置２００は、ユーザと他のユーザ（一例として、バイヤ等）との間で行われる商品の買取を仲介する。その際、写真管理装置２００は、買い取りを依頼するユーザが、相手方に提示する必要のある証明書の写真データを管理する。
つまり、写真管理装置２００は、買い取りを依頼するユーザのユーザ端末３００から送られた証明書の写真データを受け付けて保存する（蓄積する）。そして、そのユーザ（ユーザ端末３００）から、他のユーザ（買い取り先のユーザ端末３００）に対する写真データの転送依頼（転送リクエスト）を受け付けると、他のユーザのユーザ端末３００に、証明書の写真データを転送する。
【００２３】
ユーザ端末３００は、例えば、パソコンやスマートフォン等からなり、インターネット９００を介して写真管理装置２００にアクセスし、証明書の写真データを送信する。また、ユーザ端末３００は、ユーザの指示に従って、他のユーザ（一例として、買い取り先のユーザ端末３００）に対する写真データの転送リクエストを、写真管理装置２００に送信する。
【００２４】
（情報処理装置の概要構成）
本発明の実施形態に係る写真管理装置２００、及び、ユーザ端末３００が実現される典型的な情報処理装置４００について説明する。
【００２５】
情報処理装置４００は、図２に示すように、ＣＰＵ（Central Processing Unit）４０１と、ＲＯＭ（Read Only Memory）４０２と、ＲＡＭ（Random Access Memory）４０３と、ＮＩＣ（Network Interface Card）４０４と、画像処理部４０５と、音声処理部４０６と、ＤＶＤ−ＲＯＭ（Digital Versatile Disc ROM）ドライブ４０７と、インターフェース４０８と、外部メモリ４０９と、コントローラ４１０と、モニタ４１１と、スピーカ４１２と、を備える。
【００２６】
ＣＰＵ  ４０１は、情報処理装置４００全体の動作を制御し、各構成要素と接続され制御信号やデータをやりとりする。
【００２７】
ＲＯＭ  ４０２には、電源投入直後に実行されるＩＰＬ（Initial Program Loader）が記録され、これが実行されることにより、所定のプログラムをＲＡＭ  ４０３に読み出してＣＰＵ  ４０１による当該プログラムの実行が開始される。また、ＲＯＭ  ４０２には、情報処理装置４００全体の動作制御に必要なオペレーティングシステムのプログラムや各種のデータが記録される。
【００２８】
ＲＡＭ  ４０３は、データやプログラムを一時的に記憶するためのもので、ＤＶＤ−ＲＯＭから読み出したプログラムやデータ、その他、通信に必要なデータ等が保持される。
【００２９】
ＮＩＣ  ４０４は、情報処理装置４００をインターネット等のコンピュータ通信網に接続するためのものであり、ＬＡＮ（Local Area Network）を構成する際に用いられる１０ＢＡＳＥ−Ｔ／１００ＢＡＳＥ−Ｔ規格にしたがうものや、電話回線を用いてインターネットに接続するためのアナログモデム、ＩＳＤＮ（Integrated Services Digital Network）モデム、ＡＤＳＬ（Asymmetric Digital Subscriber Line）モデム、ケーブルテレビジョン回線を用いてインターネットに接続するためのケーブルモデム等と、これらとＣＰＵ  ４０１との仲立ちを行うインターフェース（図示せず）等により構成される。
【００３０】
画像処理部４０５は、ＤＶＤ−ＲＯＭ等から読み出されたデータをＣＰＵ  ４０１や画像処理部４０５が備える画像演算プロセッサ（図示せず）によって加工処理した後、これを画像処理部４０５が備えるフレームメモリ（図示せず）に記録する。フレームメモリに記録された画像情報は、所定の同期タイミングでビデオ信号に変換され、モニタ４１１に出力される。これにより、各種のページ表示が可能となる。
【００３１】
音声処理部４０６は、ＤＶＤ−ＲＯＭ等から読み出した音声データをアナログ音声信号に変換し、これに接続されたスピーカ４１２から出力させる。また、ＣＰＵ  ４０１の制御の下、情報処理装置４００が行う処理の進行の中で発生させるべき音を生成し、これに対応した音声をスピーカ４１２から出力させる。
【００３２】
ＤＶＤ−ＲＯＭドライブ４０７に装着されるＤＶＤ−ＲＯＭには、例えば、実施形態に係る写真管理装置２００等を実現するためのプログラムが記憶される。ＣＰＵ  ４０１の制御によって、ＤＶＤ−ＲＯＭドライブ４０７は、これに装着されたＤＶＤ−ＲＯＭに対する読み出し処理を行って、必要なプログラムやデータを読み出し、これらはＲＡＭ  ４０３等に一時的に記憶される。
【００３３】
インターフェース４０８には、外部メモリ４０９、コントローラ４１０、モニタ４１１、及びスピーカ４１２が、着脱可能に接続される。
【００３４】
外部メモリ４０９には、ユーザの個人情報に関するデータなどが書き換え可能に記憶される。
【００３５】
コントローラ４１０は、情報処理装置４００の各種の設定時などに行われる操作入力を受け付ける。情報処理装置４００のユーザは、コントローラ４１０を介して指示入力を行うことにより、これらのデータを適宜外部メモリ４０９に記録することができる。
【００３６】
モニタ４１１は、画像処理部４０５により出力されたデータを情報処理装置４００のユーザに提示する。
【００３７】
スピーカ４１２は、音声処理部４０６により出力された音声データを情報処理装置４００のユーザに提示する。
【００３８】
この他、情報処理装置４００は、ハードディスク等の大容量外部記憶装置を用いて、ＲＯＭ ４０２、ＲＡＭ ４０３、外部メモリ４０９、ＤＶＤ−ＲＯＭドライブ４０７に装着されるＤＶＤ−ＲＯＭ等と同じ機能を果たすように構成してもよい。
【００３９】
以下、上記情報処理装置４００において実現される写真管理装置２００の構成等について、図３〜図５を参照して説明する。情報処理装置４００に電源が投入され、例えば、ユーザ端末３００からのアクセスを受け付けると、本実施形態に係る写真管理装置２００として機能させるそれぞれのプログラムが実行され、本実施形態に係る写真管理装置２００が実現される。
なお、各ユーザ端末３００も同様に情報処理装置４００において実現されるが、これらの構成については省略し、本実施形態において最も特徴的な写真管理装置２００について、以下説明する。
【００４０】
（写真管理装置の概要構成）
図３は、本実施形態に係る写真管理装置２００の概要構成の一例を示すブロック図である。図示するように、写真管理装置２００は、受付部２１０と、推定部２２０と、取得部２３０と、蓄積部２４０と、期限判定部２５０と、警告部２６０と、転送部２７０と、更新部２８０とを備える。
【００４１】
受付部２１０は、インターネット９００を介してユーザ端末３００から送られる種々の情報を受け付ける。
例えば、受付部２１０は、ユーザ端末３００から提供された証明書の写真データを受け付ける。また、受付部２１０は、他のユーザ端末３００に対する写真データの転送リクエストを受け付ける。
上述したＮＩＣ  ４０４等が、このような受付部２１０として機能しうる。
【００４２】
推定部２２０は、受付部２１０が受け付けた写真データから、この写真データが表す証明書（身分証明書）の種類を推定する。
なお、推定部２２０は、写真データが表す証明書の種類を、文字認識することなく推定する。例えば、推定部２２０は、様々な証明書のレイアウトパターンと、受付部２１０が受け付けた写真データ（つまり、文字や写真の配列や色合い等）とを照合することで、写真データが表す証明書の種類を推定する。
【００４３】
具体的に推定部２２０は、図４Ａ〜４Ｃに示すようなレイアウトパターンＬＰ１〜ＬＰ３を記憶しており、受付部２１０が受け付けた写真データと照合する。図４Ａは、運転免許証のレイアウトパターンＬＰ１の一例である。図４Ｂは、学生証のレイアウトパターンＬＰ２の一例である。図４Ｃは、健康保険被保険者証のレイアウトパターンＬＰ３の一例である。なお、これらのレイアウトパターンＬＰ１〜ＬＰ３には、色の情報も含まれている。また、これらのレイアウトパターンＬＰ１〜ＬＰ３は、一例であり、同じ種類の証明書について複数のレイアウトパターンが用意されているものとする。更に、証明書の種類として、他にも、住民基本台帳カードや住民票など種々のレイアウトパターンが含まれているものとする。
【００４４】
推定部２２０は、このようなレイアウトパターンＬＰ１〜ＬＰ３と、受付部２１０が受け付けた写真データとを、文字や写真の配列や色合い等を基に照合し、最も近いレイアウトパターンを特定する。なお、推定部２２０は、写真データの大きさや傾き等を調整した後に、レイアウトパターンＬＰ１〜ＬＰ３と照合し、該当する（適合する）レイアウトパターンを特定するものとする。そして、推定部２２０は、受付部２１０が受け付けた写真データを、特定したレイアウトパターンの証明書であると推定する。
このように、文字認識することなく証明書の種類を推定することで、ユーザが提供した写真データの品質が低い場合（解像度が粗かったり、手ぶれが生じている等）であっても対応することができる。
上述したＣＰＵ  ４０１等が、このような推定部２２０として機能しうる。
【００４５】
図３に戻って、取得部２３０は、推定部２２０にて推定された証明書の種類に応じた有効期限を取得する。例えば、写真データが運転免許証であると推定された場合、取得部２３０は、１年後の日付の有効期限を取得する。また、推定部２２０が推定した証明書の種類が、学生証などであると推定した場合、取得部２３０は、直近の３月３１日の有効期限を取得する。つまり、学生証などは、何れかの年の３月末日が有効期限に設定されているため、取得部２３０は、最も近い３月３１日を有効期限として取得する。なお、３月末日は、日本の例であり、他の国の例では、例えば、８月３１日を有効期限として取得してもよい。
上述したＣＰＵ  ４０１等が、このような取得部２３０として機能しうる。
【００４６】
蓄積部２４０は、受付部２１０が受け付けた写真データを、取得部２３０にて取得された有効期限に対応付けて蓄積する。例えば、蓄積部２４０は、写真データと共に、図５に示すような管理情報２４１を記憶する。
この管理情報２４１には、一例として、ユーザＩＤ２４１ａ、写真データＩＤ２４１ｂ、及び、有効期限２４１ｃが含まれている。このユーザＩＤ２４１ａは、写真データを提供したユーザを識別する情報である。また、写真データＩＤ２４１ｂは、蓄積した写真データを識別するための情報である。そして、有効期限２４１ｃは、取得部２３０が取得した有効期限を示している。なお、管理情報２４１には、この他にも、上述した推定部２２０が推定した証明書の種類を示す情報も含まれているものとする。
上述したＲＡＭ  ４０３や外部メモリ４０９等が、このような蓄積部２４０として機能しうる。
【００４７】
図３に戻って、期限判定部２５０は、転送リクエストを受けた写真データについて、現時点で有効期限が経過しているか否かを判別する。つまり、あるユーザ（ユーザ端末３００）から、蓄積している写真データ（自分の証明書の写真データ）を、他のユーザ（ユーザ端末３００）に転送することを指示された場合に、期限判定部２５０は、上述した管理情報２４１を参照し、転送リクエストを受けた写真データＩＤ２４１ｂに対応する有効期限２４１ｃが、現在の日付よりも過去でないかどうかを判別する。
上述したＣＰＵ  ４０１等が、このような期限判定部２５０として機能しうる。
【００４８】
警告部２６０は、期限判定部２５０によって、写真データの有効期限が経過していると判別された場合に、写真データの転送を依頼したユーザに警告を発する。例えば、警告部２６０は、写真データの転送リクエストを送ったユーザ端末３００に、ポップアップ画面を表示して、写真データが表す証明書の有効期限が経過しているおそれがあることを警告する。具体的に、警告部２６０は、有効期限についての警告メッセージ（確認を要求するメッセージであってもよい）、対象の写真データ（つまり、証明書の画像）、了承ボタン、及び、キャンセルボタンを含めたポップアップ画面を表示する。この場合、警告を受けたユーザは、自分の目で証明書を確認することで、その証明書の有効期限が実際に経過しているかどうかを判断可能となる。そして、ユーザは、証明書の有効期限が経過していなければ了承ボタンを操作し、一方、有効期限が経過していればキャンセルボタンを操作することになる。
上述したＣＰＵ  ４０１及びＮＩＣ  ４０４等が、このような警告部２６０として機能しうる。
【００４９】
転送部２７０は、ユーザからの転送リクエストに従って、写真データを他のユーザ端末３００に転送する。なお、警告部２６０が、例えば、上述したポップアップ画面にて、証明書の有効期限について警告した場合に、転送部２７０は、ユーザ（ユーザ端末３００）からの了承（了承ボタンの操作）を得た場合にだけ、対象の写真データを他のユーザ端末３００に転送する。
上述したＮＩＣ  ４０４等が、このような転送部２７０として機能しうる。
【００５０】
更新部２８０は、上述したように、証明書の有効期限についてユーザに警告した後、ユーザの了承を得て写真データを他のユーザに転送した場合に、転送した写真データに対応付けられた有効期限を延長して更新する。つまり、警告部２６０による警告にもかかわらず、ユーザが写真データの転送を了承したということは、証明書の有効期限が実際には経過していなかったと判断できる。そのため、警告後に写真データが転送部２７０から他のユーザ端末３００に転送された場合に、更新部２８０は、転送した写真データに対応付けられた有効期限を延長して更新する。
例えば、更新部２８０は、上述した管理情報２４１における対象の写真データＩＤ２４１ｂの有効期限２４１ｃを、写真データが表す証明書の種類に応じて、所定期間延長して更新する。一例として、写真データが運転免許証であると推定されている場合（管理情報２４１にて管理される証明書の種類が運転免許証である場合）、更新部２８０は、有効期限２４１ｃを１年延長して更新する。また、写真データが健康保険被保険者証であると推定されている場合、更新部２８０は、有効期限２４１ｃを半年延長して更新する。なお、これらの延長期間は一例であり、他の延長期間を採用してもよい。
上述したＣＰＵ  ４０１等が、このような更新部２８０として機能しうる。
【００５１】
（写真管理装置の動作）
以下、このような構成の写真管理装置２００の動作について図６を参照して説明する。図６は、写真管理装置２００が実行する写真管理処理の流れを示すフローチャートである。
【００５２】
まず、写真管理装置２００は、ユーザから提供された写真データを受け付ける（ステップＳ１０）。
すなわち、受付部２１０は、ユーザ端末３００から送信された写真データを受け付ける。
【００５３】
写真管理装置２００は、写真データが表す証明書の種類を推定する（ステップＳ１１）。
すなわち、推定部２２０は、写真データが表す証明書の種類を、文字認識することなく推定する。例えば、推定部２２０は、上述したレイアウトパターンＬＰ１〜ＬＰ３と、受付部２１０が受け付けた写真データとを、文字や写真の配列や色合い等を基に照合することで、写真データが表す証明書の種類を推定する。
【００５４】
写真管理装置２００は、推定された証明書の種類に応じた有効期限を取得する（ステップＳ１２）。
すなわち、取得部２３０は、推定された証明書の種類に応じた有効期限を取得する。例えば、運転免許証であると推定された場合、取得部２３０は、１年後の日付の有効期限を取得する。また、推定部２２０が推定した証明書の種類が、学生証などであると推定した場合、取得部２３０は、直近の３月３１日の有効期限を取得する。
【００５５】
写真管理装置２００は、写真データを、取得された有効期限に対応付けて蓄積する（ステップＳ１３）。
すなわち、蓄積部２４０は、受付部２１０が受け付けた写真データを、ステップＳ１２にて取得された有効期限に対応付けて蓄積する。
【００５６】
写真管理装置２００は、写真データの転送リクエストを受け付ける（ステップＳ１４）。
すなわち、受付部２１０は、ユーザ端末３００から他のユーザ端末３００に対する写真データの転送リクエストを受け付ける。
【００５７】
写真管理装置２００は、写真データの有効期限が経過しているか否かを判別する（ステップＳ１５）。
すなわち、期限判定部２５０は、現時点において、写真データの有効期限が経過しているかどうかを判別する。例えば、期限判定部２５０は、上述した管理情報２４１を参照し、転送リクエストを受けた写真データＩＤ２４１ｂに対応する有効期限２４１ｃが、現在の日付よりも過去でないかどうかを判別する。
写真管理装置２００は、有効期限が経過していないと判別すると（ステップＳ１５；Ｎｏ）、後述するステップ１９に処理を進める。
【００５８】
一方、有効期限が経過していると判別した場合（ステップＳ１５；Ｙｅｓ）に、写真管理装置２００は、有効期限の経過をユーザに警告する（ステップＳ１６）。
例えば、警告部２６０は、写真データの転送リクエストを送ったユーザ端末３００に、ポップアップ画面を表示して、写真データが表す証明書の有効期限が経過しているおそれがあることを警告する。
【００５９】
写真管理装置２００は、転送の続行をユーザから指示されたか否かを判別する（ステップＳ１７）。
すなわち、受付部２１０は、警告を発したにもかかわらず、転送を継続する旨の指示を、ユーザから受け付けたかどうかを判別する。
写真管理装置２００は、転送の続行を指示されなかったと判別すると（ステップＳ１７；Ｎｏ）、写真管理処理を終了する。つまり、写真管理装置２００は、写真データの転送を行わずに、処理を終了する。
【００６０】
一方、転送の続行を指示されたと判別した場合（ステップＳ１７；Ｙｅｓ）に、写真管理装置２００は、写真データの有効期限を延長する（ステップＳ１８）。
例えば、更新部２８０は、上述した管理情報２４１における対象の写真データＩＤ２４１ｂの有効期限２４１ｃを、写真データが表す証明書の種類に応じて、所定期間延長して更新する。
【００６１】
写真管理装置２００は、写真データを他のユーザ端末３００に転送する（ステップＳ１９）。
すなわち、転送部２７０は、ユーザからの転送リクエストに従って、写真データを他のユーザ端末３００に転送する。
【００６２】
このような写真管理処理によって、文字認識することなく、写真データが表す証明書の種類を推定し、有効期限と共に管理する。そして、管理上の有効期限が経過している場合には、ユーザに警告し、ユーザ自身によって実際の有効期限が経過しているかどうかを判断させている。この結果、写真データの有効期限を簡易に管理することができる。
【００６３】
（他の実施形態）
上記の実施形態では、写真データの転送時に、有効期限の経過を判別する場合について説明したが、このような写真データの転送時に限られず、他のタイミングで有効期限の経過を判別してもよい。例えば、写真管理装置２００は、ユーザのログイン時に有効期限の経過を判別するようにし、有効期限が経過していると判別した場合に、上記と同様にポップアップ画面を表示してもよい。その際、ユーザから了承（確認）が得られた場合に、写真管理装置２００は、上記と同様に、写真データの有効期限を、その写真データが表す証明書の種類に応じて、所定期間延長して更新する。
【００６４】
上記の実施形態では、証明書（身分証明書）の写真データを管理する写真管理装置を一例として説明したが、このような証明書以外の書類の写真データを管理する写真管理装置にも適宜適用可能である。
【産業上の利用可能性】
【００６５】
以上説明したように、本発明によれば、写真データの有効期限を簡易に管理する写真管理装置、管理方法、記録媒体、および、プログラムを提供することができる。
【符号の説明】
【００６６】
１００  管理システム
２００  写真管理装置
２１０  受付部
２２０  推定部
２３０  取得部
２４０  蓄積部
２５０  期限判定部
２６０  警告部
２７０  転送部
２８０  更新部
３００  ユーザ端末
４００  情報処理装置
４０１  ＣＰＵ
４０２  ＲＯＭ
４０３  ＲＡＭ
４０４  ＮＩＣ
４０５  画像処理部
４０６  音声処理部
４０７  ＤＶＤ−ＲＯＭドライブ
４０８  インターフェース
４０９  外部メモリ
４１０  コントローラ
４１１  モニタ
４１２  スピーカ
６３５  特定部
６３６  抽出部
６３７  警告部
９００  インターネット
【図１】
2017033278.tif 000003
【図２】
2017033278.tif 000004
【図３】
2017033278.tif 000005
【図４Ａ】
2017033278.tif 000006
【図４Ｂ】
2017033278.tif 000007
【図４Ｃ】
2017033278.tif 000008
【図５】
2017033278.tif 000009
【図６】
2017033278.tif 000010
【国際調査報告】
2017033278.tif 000011
2017033278.tif 000012
2017033278.tif 000013
2017033278.tif 000014